Podtech/llm-jp-corpus-v4-ja_patent huggingface dataset:
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
ピラミッド状容量の広告スペースに関連する広告モデルを促進する、計算機で実行されるシステムであって、
少なくとも２つの実質的に並行なビュープレーンを用いて計算機表示可能な多重スケール画像を表現するデータを有するデータ構造であって、第１のビュープレーン及び第２のビュープレーンが、拡大縮小レベルに基づいて二者択一的に表示可能であり、かつピラミッド状容量によって関連付けられていて、前記画像が、前記ピラミッド状容量の頂点に画素を含んでいるものと、
前記画素に関連する販売用広告権を提供する広告コンポーネントと、を含むシステム。
【請求項２】
前記広告権が、前記画素の購入、前記画素の賃貸、前記画素を第三者に販売又は賃貸するための権利、前記画素のＲＧＢ特性、前記画素に関連したハイパーリンク、前記画素に関連した注釈、前記画素に関連したメタデータのうち、少なくとも１つを含むことを特徴とする請求項１記載のシステム。
【請求項３】
前記画素が、前記第１のビュープレーンに存在していて、前記広告権が、前記画素から投影される前記ピラミッド状容量に含まれている前記第２のビュープレーンの４つの画素に対し実質的に同様の権利を含むことを特徴とする請求項１記載のシステム。
【請求項４】
前記広告権が、より下位の拡大縮小レベルにおける画素の一部又はすべてに対し実質的に同様の権利を含んでいて、前記ピラミッド状容量に含まれていることを特徴とする請求項１記載のシステム。
【請求項５】
前記広告コンポーネントが、より下位の拡大縮小レベルにおいて詳細に見ることができて、より上位の拡大縮小レベルにおいて単一の画素として見ることができる広告コンテンツに対する広告スペースの販売を促進することを特徴とする請求項１記載のシステム。
【請求項６】
前記広告コンポーネントが、映像広告コンテンツを容易にするための、１つ以上の画素ブロックの前記少なくともＲＧＢ特性を時間とともに変更する連続した画素ブロックを含む広告スペースの販売を促進することを特徴とする請求項１記載のシステム。
【請求項７】
前記第２のビュープレーンが、異なるスケールにおいて前記第１のビュープレーンの一部を表示することを特徴とする請求項１記載のシステム。
【請求項８】
前記第２のビュープレーンが、前記第１のビュープレーンに図的にも視覚的にも関係ない広告コンテンツを表示することを特徴とする請求項１記載のシステム。
【請求項９】
前記第２のビュープレーンが、前記第１のビュープレーンに含まれている広告コンテンツを有していない広告主からの広告コンテンツを表示することを特徴とする請求項１記載のシステム。
【請求項１０】
更に、前記拡大縮小レベルにおける隣接した画素値に基づいて前記画素値を決定する区分化コンポーネントを含む請求項１記載のシステム。
【請求項１１】
前記広告コンポーネントが、画素ごとのコスト収入モデル、注目ごとのコスト収入モデル、又はクリックスルー収入モデルのうち、少なくとも１つに従って前記広告権を提供することを特徴とする請求項１記載のシステム。
【請求項１２】
前記画像が、ウェブページ上で見ることができるコンテンツすべてを実質的に包含していて、最上位ビュープレーンにおいて初期化されることを特徴とする請求項１記載のシステム。
【請求項１３】
前記画像が、ウェブページ上に実在している広告であることを特徴とする請求項１記載のシステム。
【請求項１４】
更に、文脈入力に基づいて前記データを動的に構築する生成コンポーネントを含む請求項１記載のシステム。
【請求項１５】
前記文脈入力が、検索文字列に基づいていることを特徴とする請求項１４記載のシステム。
【請求項１６】
前記文脈入力が、検索結果に基づいていることを特徴とする請求項１４記載のシステム。
【請求項１７】
広告モデルに関連するピラミッド状容量の広告スペースを使用するための、計算機で実行される方法であって、
画像データをストアするためのデータ構造を生成するステップと、
少なくとも２つの実質的に並行なビュープレーンを用いて計算機表示可能な画像を定義している前記画像データをデータ構造にストアするステップであって、第１のビュープレーン及び第２のビュープレーンが、拡大縮小レベルに基づいて二者択一的に表示可能であり、かつピラミッド状容量によって関連付けられていて、前記画像が、前記ピラミッド状容量の頂点に画素を含んでいるものと、
前記画素に関連する販売用広告権を提供するステップと、を含む方法。
【請求項１８】
更に、
前記画素の購入、前記画素の賃貸、前記画素を第三者に販売又は賃貸する権利、前記画素のＲＧＢ特性、前記画素に関連したハイパーリンク、前記画素に関連した注釈、前記画素と関連したメタデータのうち、少なくとも１つを含む販売用広告権を提供するステップと、
より下位の拡大縮小レベルにおいて前記ピラミッド状容量に含まれている画素すべて又は一部に対する販売用広告権を提供するステップと、
より下位の拡大縮小レベルにおいて細部を見ることができて、より上位の拡大縮小レベルにおいて単一の画素として見ることができる広告コンテンツに対する販売用広告スペースを提供するステップと、
映像広告コンテンツ用の連続した画素ブロックを販売用に提供するステップと、
画素ごとの広告コストモデル、注目ごとの広告コストモデル、又はクリックスルー広告モデルのうち、少なくとも１つに基づいて販売用広告権を提供するステップと、のうち少なくとも１つを含む請求項１７記載の方法。
【請求項１９】
更に、
前記拡大縮小レベルにおける隣接した画素値に基づいて画素値を決定するステップ、
文脈入力に基づいて前記画像データを動的に生成するステップ、
検索文字列に基づいて前記画像データを動的に生成するステップ、
検索結果に基づいて前記画像データを動的に生成するステップ、のうち少なくとも１つを含む請求項１７記載の方法。
【請求項２０】
ピラミッド状容量の広告スペースに関連する広告モデルを使用するための、計算機で実行されるシステムであって、
画像データを収集するためのデータ構造を構築する手段を実行する計算機と、
少なくとも２つの実質的に並行なビュープレーンを用いて計算機表示可能な画像を定義している画像データを前記データ構造にセーブするための計算機で実行される手段であって、第１のビュープレーン及び第２のビュープレーンが、前記拡大縮小レベルに基づいて二者択一的に表示可能であり、かつピラミッド状容量によって関連付けられていて、前記画像が、前記ピラミッド状容量の頂点に画素を含んでいるものと、
前記画素に関連する販売用広告権を提供するための計算機で実行される手段と、を含むシステム。
【手続補正書】
【提出日】平成23年11月14日(2011.11.14)
【手続補正１】
【補正対象書類名】明細書
【補正対象項目名】００３７
【補正方法】変更
【補正の内容】
【００３７】
この処理は、“電圧”行列のすべての点の測定に対応する。この行列は、各点（Ｉ，Ｊ）に、第Ｉ行と第Ｊ列の交点の端子で測定された電圧の値を有する行列［Ｍ，Ｎ］である（ただし１≦Ｉ≦Ｍかつ１≦Ｊ≦Ｎ）。この行列により、所定の瞬間におけるマトリックス式タッチセンサ１の各点の状態を与えることができる。
【手続補正２】
【補正対象書類名】明細書
【補正対象項目名】００４０
【補正方法】変更
【補正の内容】
【００４０】
処理１１は、最初に第１列の走査を実行する。この列には例えば５ボルトが供給される。この列に関し、電子回路は、この列と第１行〜第Ｍ行のそれぞれとの交点の端子における電圧を測定する。
【手続補正３】
【補正対象書類名】明細書
【補正対象項目名】００４１
【補正方法】変更
【補正の内容】
【００４１】
第Ｍ行の測定が実行され終わると、この処理は次の列に移行し、対象とする新たな列と第１行〜第Ｍ行のそれぞれとの交点の端子における電圧の測定を再び開始する。
【手続補正４】
【補正対象書類名】明細書
【補正対象項目名】００５０
【補正方法】変更
【補正の内容】
【００５０】
この動作モードでは、データを取得する処理“取得２”５１が実行される。この処理は、“電圧”行列のすべての点の測定に対応する。この“電圧”行列はサイズがＭ×Ｎであり、各点（Ｉ，Ｊ）に、第Ｉ行と第Ｊ列の交点の端子で測定された電圧の値を有する（ただし１≦Ｉ≦Ｍかつ１≦Ｊ≦Ｎ）。
【手続補正５】
【補正対象書類名】明細書
【補正対象項目名】００５８
【補正方法】変更
【補正の内容】
【００５８】
第１のループ３２の終わりに条件付き制御が実行される。マトリックス式タッチセンサ１全体で少なくとも１つの接触点が検出されなかった場合には、この処理は、連続した取得ステップ５１と分析ステップ６１に対応する“単接触”モードの第２のループ３３に入る。
【手続補正書】
【提出日】平成23年11月14日(2011.11.14)
【手続補正１】
【補正対象書類名】明細書
【補正対象項目名】００３５
【補正方法】変更
【補正の内容】
【００３５】
この処理は、“電圧”行列のあらゆるノードの測定に対応する。この行列は、各点（Ｉ，Ｊ）に、第Ｉ行と第Ｊ列の交点の端子で測定された電圧の値を含む行列［Ｍ，Ｎ］である（ただし１≦Ｉ≦Ｍかつ１≦Ｊ≦Ｎ）。この行列により、所定の瞬間におけるマトリックス式センサ１の各点の状態を与えることができる。
【手続補正２】
【補正対象書類名】明細書
【補正対象項目名】００３８
【補正方法】変更
【補正の内容】
【００３８】
処理１１は、最初に第１列を走査する。この列には例えば５ボルトが供給される。電子回路は、この列に関し、この列と、第１行〜第Ｍ行のそれぞれとの交点における電気的特性を測定する。
【手続補正３】
【補正対象書類名】明細書
【補正対象項目名】００３９
【補正方法】変更
【補正の内容】
【００３９】
第Ｍ行の測定が実行されたとき、この処理は次の列に移り、対象となる新しい列と、第１行〜第Ｍ行のそれぞれとの交点における電気的特性の測定を再び開始する。
【手続補正４】
【補正対象書類名】明細書
【補正対象項目名】００４０
【補正方法】変更
【補正の内容】
【００４０】
すべての列を走査し終わったとき、マトリックス式センサ（１）の各点の端子における電圧を測定し終わっている。するとこの処理は終了し、電子回路は、得られた“電圧”行列の分析に進むことができる。
【手続補正５】
【補正対象書類名】明細書
【補正対象項目名】００４４
【補正方法】変更
【補正の内容】
【００４４】
次に、最初に第１行を走査する。この行には例えば５ボルトが供給される。電子回路は、この行に関し、その行と、第１列〜第Ｎ列のそれぞれとの間のノードの端子における電圧を測定する。
【手続補正６】
【補正対象書類名】明細書
【補正対象項目名】００４５
【補正方法】変更
【補正の内容】
【００４５】
測定が第Ｎ列で実行されたとき、この処理は次の行に移り、対象となる新しい行と、第１列〜第Ｎ列のそれぞれとの交点の端子における電圧の測定を再び開始する。
【手続補正書】
【提出日】平成23年11月14日(2011.11.14)
【手続補正１】
【補正対象書類名】明細書
【補正対象項目名】００４８
【補正方法】変更
【補正の内容】
【００４８】
この処理は、マトリックスのその領域の全ノードの測定に対応する。マトリックスの各ノードで測定される電気的特性は、例えば電圧である。この行列は、各点（Ｉ，Ｊ）に、第Ｉ行と第Ｊ列が交差することによって形成されるノードの端子で測定された電圧の値を有する行列［Ｍ，Ｎ］である（ただし１≦Ｉ≦Ｍかつ１≦Ｊ≦Ｎ）。この処理により、所定の瞬間におけるマトリックス式センサ１の各ノードの状態が与えられる。
【手続補正２】
【補正対象書類名】明細書
【補正対象項目名】００５１
【補正方法】変更
【補正の内容】
【００５１】
処理１１は、最初に第１列の走査を実行する。この列には例えば５ボルトが供給される。電子回路は、この列に関し、この列と、第１行〜第Ｍ行のそれぞれとの間のノードにおける電気的特性（例えば電圧）を測定する。
【手続補正３】
【補正対象書類名】明細書
【補正対象項目名】００５２
【補正方法】変更
【補正の内容】
【００５２】
第Ｍ行の測定が実行されたとき、この処理は次の列に移り、対象となる新しい列と、第１行〜第Ｍ行のそれぞれとの間のノードの端子における電圧の測定を再び開始する。
【手続補正４】
【補正対象書類名】明細書
【補正対象項目名】００９１
【補正方法】変更
【補正の内容】
【００９１】
したがって、ウインドウ７２および７４は、インターフェイス７７の部分集合である。オブジェクト７３はウインドウ７２に含まれ、オブジェクト７５はウインドウ７４の一部をなす。インターフェイス７７は、触覚的にニュートラルな領域７６、すなわち利用者が操作可能ないかなるグラフィックオブジェクトも含まない領域も含んでいる。
【手続補正５】
【補正対象書類名】図面
【補正対象項目名】図４
【補正方法】変更
【補正の内容】
【図４】
2011507123.tif 000001
【手続補正６】
【補正対象書類名】図面
【補正対象項目名】図１１
【補正方法】変更
【補正の内容】
【図１１】
2011507123.tif 000002
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
プロセッサーを含むシステムであって、前記プロセッサーが、コンピューター記憶媒体に結合され、該コンピューター記憶媒体が、前記プロセッサーによって実行可能な複数のコンピューター・ソフトウェア・コンポーネントを格納し、該コンピューター・ソフトウェア・コンポーネントが、
複数の車両または携帯用電子ユニットにおける前記システムの実装を追跡して、要求を却下し、収益化の示唆を命令し、前記システムの動作に影響を及ぼす中央サーバと、
経路情報と、ユーザー位置と、コンテキスト・データーとを収集する蓄積コンポーネント（１０２）と、
ユーザーに提示するために、収集した前記経路情報、収集した前記ユーザー位置、収集した前記コンテキスト・データー、またはその組み合わせに基づいて、目的とする位置と関連のある詳細を選択する選択コンポーネントと、
を含む、システム。
【請求項２】
請求項１記載のシステムにおいて、前記選択された詳細は、営利目的の詳細である、システム。
【請求項３】
請求項１記載のシステムであって、更に、前記選択した詳細をユーザーに提示する開示コンポーネントを含む、システム。
【請求項４】
請求項３記載のシステムにおいて、前記開示コンポーネントは、前記選択コンポーネントによって選択された２つの詳細を提示し、第１の詳細が前記開示コンポーネントの第１部分に提示され、後続の詳細が前記開示コンポーネントの後続部分に提示される、システム。
【請求項５】
請求項１記載のシステムであって、更に、前記選択された詳細のユーザーに対する前記提示に関係して報償を与える補償コンポーネントを含む、システム。
【請求項６】
請求項１記載のシステムであって、更に、前記詳細の選択に関係して少なくとも１回の推論または少なくとも１回の判断を行う人工知能コンポーネントを含む、システム。
【請求項７】
請求項１記載のシステムであって、更に、目的とする行き先までの経路を形成する発生コンポーネントを含む、システム。
【請求項８】
請求項１記載のシステムにおいて、前記選択コンポーネントは、金銭的対価に基づいて前記詳細を選択し、前記目的とする位置は、車両の使用によって走行しようとする先の位置であり、前記目的とする位置は目的とする行き先であり、前記蓄積コンポーネントはバランス情報を前記コンテキスト・データーとして入手し、前記蓄積コンポーネントは前記車両に実装し、前記選択コンポーネントは前記車両に実装し、またはその組み合わせである、システム。
【請求項９】
請求項１記載のシステムであって、更に、少なくとも１つの生物のプロファイルを形成するサマリー・コンポーネントを含み、前記収集したコンテキスト・データーが前記プロファイルを含む、システム。
【請求項１０】
コンピューター使用可能命令をコンピューター記憶媒体に格納するステップと、
前記コンピューター使用可能命令を、１つ以上の計算デバイスによって実行して、前記１つ以上の計算デバイスに、
（１）ユーザーを評価して、該ユーザーの特性および物理的状態を確認するステップと、
（２）ユーザーに対する提示のために情報を指定するステップと、
（３）前記指定された情報を提示するステップであって、前記指定された情報が前記ユーザーの目的とする行き先、前記特性および物理的状態とに関係する、ステップと、
を実行させる、ステップと、
を含む、方法。
【請求項１１】
請求項１０記載の方法であって、前記コンピューター使用可能命令を１つ以上の計算デバイスによって実行することは、更に、前記１つ以上の計算デバイスに、指定可能な情報と、前記目的とする行き先に関する少なくとも１つの詳細を蓄積させ、前記指定された情報が、前記少なくとも１つの詳細の分析を通じて行われる、方法。
【請求項１２】
請求項１０記載の方法において、前記指定された情報が営利目的の詳細である、方法。
【請求項１３】
請求項１０記載の方法において、ユーザーに対する提示のための前記指定された情報は、受け取る代償に基づく、方法。
【請求項１４】
請求項１０記載の方法であって、前記コンピューター使用可能命令を１つ以上の計算デバイスによって実行することは、更に、前記１つ以上の計算デバイスに、提示された前記指定された情報に関係して金銭的手続きを実行させる、方法。
【請求項１５】
請求項１０記載の方法であって、前記コンピューター使用可能命令を１つ以上の計算デバイスによって実行することは、更に、前記１つ以上の計算デバイスに、前記目的とする行き先までの経路を発生させる、方法。
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
コンピュータ使用可能な命令が記憶されているコンピュータ記憶媒体であって、前記コンピュータ使用可能な命令は、実行されると、
少なくとも１つのエンティティと取り決めを行い、ユーザの意中の旅行地に関する詳細の集合に対応する入札集合を得る交換コンポーネントと、
前記意中の旅行地から半径が約０．５マイルの範囲で、広告提示に対する入札をすることが出来る会社をサーチし入札部分集合を選択する選択コンポーネントであって、前記入札部分集合の選択により、詳細部分集合がユーザに提示されることを可能にする選択コンポーネントと、
を備えているシステムを実装する、コンピュータ記憶媒体。
【請求項２】
請求項１記載のコンピュータ記憶媒体において、前記選択は、前記入札部分集合の選択に対して提供される金銭的報償、義務、入札者の特性、ユーザの特性、又はこれらの組合せに基づく、コンピュータ記憶媒体。
【請求項３】
請求項１記載のコンピュータ記憶媒体において、ユーザに提示される前記詳細部分集合は広告であり、前記意中の旅行地は意中の旅行目的地である、コンピュータ記憶媒体。
【請求項４】
請求項１記載のコンピュータ記憶媒体であって、更に、前記詳細部分集合をユーザに提示する開示コンポーネントを備えている、コンピュータ記憶媒体。
【請求項５】
請求項４記載のコンピュータ記憶媒体において、前記開示コンポーネントは、前記入札部分集合と関連のある２つの詳細を提示し、第１の詳細が前記開示コンポーネントの第１部分に提示され、後続の詳細が前記開示コンポーネントの後続部分に提示さされる、コンピュータ記憶媒体。
【請求項６】
請求項１記載のコンピュータ記憶媒体であって、更に、入札の選択に関して少なくとも１回の推論又は少なくとも１回の判断を行う人工知能コンポーネントを備えている、コンピュータ記憶媒体。
【請求項７】
請求項１記載のコンピュータ記憶媒体であって、更に、入札部分集合の選択に関して会計処理を実行する手続きコンポーネントを備えている、コンピュータ記憶媒体。
【請求項８】
請求項１記載のコンピュータ記憶媒体であって、更に、前記入札集合を分析する評価コンポーネントを備えており、入札部分集合の選択は前記入札集合の分析に少なくとも部分的に基づく、コンピュータ記憶媒体。
【請求項９】
請求項１記載のコンピュータ記憶媒体であって、更に、前記意中の旅行地までの経路を組み立てる発生コンポーネントを備えている、コンピュータ記憶媒体。
【請求項１０】
コンピュータ使用可能な命令が記憶されているコンピュータ記憶媒体であって、前記コンピュータ使用可能な命令は、実行されると、コンピュータに、
複数のエンティティにコンテキスト情報を開示することにより、入札を行うべきかどうか前記複数のエンティティが判断することを可能にするステップと、
不適切でない複数の入札を前記複数のエンティティから獲得するステップと、
前記複数の入札から、ユーザに詳細を開示する入札を選択するステップと、
少なくとも約１つの選択された入札の詳細をユーザに開示するステップであって、前記開示された詳細は意中の旅行地と関連している、ステップと、
を備えている方法を実行させる、コンピュータ記憶媒体。
【請求項１１】
請求項１０記載のコンピュータ記憶媒体であって、更に、少なくとも約１つの入札を取得するステップを備えており、少なくとも約１つの取得された入札に対して選択が行われる、コンピュータ記憶媒体。
【請求項１２】
請求項１１記載のコンピュータ記憶媒体であって、更に、少なくとも約１つの入札の要求を行うステップを備えており、前記要求の応答として取得が行われる、コンピュータ記憶媒体。
【請求項１３】
請求項１０記載のコンピュータ記憶媒体であって、更に、少なくとも１つの選択された入札の詳細をユーザに開示することに関して会計手続きを実行するステップを備えている、コンピュータ記憶媒体。
【請求項１４】
請求項１０記載のコンピュータ記憶媒体であって、更に、少なくとも約１つの入札元を突き止めるステップを備えており、前記突き止められた入札元が、前記選択された入札を行う、コンピュータ記憶媒体。
【請求項１５】
請求項１０記載のコンピュータ記憶媒体において、複数の入札からユーザに詳細を開示する入札を選択するステップは人工知能技法によって行われる、コンピュータ記憶媒体。
【手続補正書】
【提出日】平成23年11月24日(2011.11.24)
【手続補正１】
【補正対象書類名】明細書
【補正対象項目名】００３５
【補正方法】変更
【補正の内容】
【００３５】
スネア機構４２は、少なくとも１つのループ４６へと形成されるワイヤ、または２本以上のワイヤの束を含み得る。ループ４６は、留置されるまでスネアカテーテル４０内に配置されてもよい。図４は、開口システム４４が１個の穴５２を有しているスネアカテーテル４０を示す。図５に図示のとおり、スネア機構４２を形成するワイヤは、スネアカテーテル４０内でループにされた単一のワイヤである。スネア機構４２のワイヤの端部４８および５０は、スネアカテーテル４０を通って延在し、少なくとも一方が、スネアカテーテル４０の遠位端５５から出て延在し、送達システム（図示せず）から出て、さらに患者の体（図示せず）から出て、医師がスネアループ４６を操作できるようにする。
【手続補正２】
【補正対象書類名】明細書
【補正対象項目名】００３８
【補正方法】変更
【補正の内容】
【００３８】
図６に図示のとおり、ループ４６は穴５２から出てスネア装置を形成する。ループ４６を形成するワイヤの端部４８、５０は、カテーテル４０の長さにわたって延在し、カテーテル４０の遠位端５５から出ていく。円形または卵形の単一のループが図示されているが、他の形状も企図される。
【手続補正３】
【補正対象書類名】特許請求の範囲
【補正対象項目名】全文
【補正方法】変更
【補正の内容】
【特許請求の範囲】
【請求項１】
血管内送達システム（２０）であって、
送達装置と、
送達装置上に配置され、本体（１２）、第１の肢部（１４）および第２の肢部（１６）を有する分岐したプロテーゼ（１０）とを含み、各肢部は管腔を備え、前記血管内送達システムはさらに、
近位端、遠位端、前記近位端と前記遠位端との間に管腔、および、前記近位端と前記遠位端との間にスネア開口システム（４４）を有するスネアカテーテル（４０）と、
プロテーゼの少なくとも一部およびスネアカテーテルの少なくとも一部にわたって摺動可能に配置されるシース（２２）と、
スネアカテーテル内に配置され、スネアカテーテルの外部にループを形成し、スネアカテーテルの遠位端から出る少なくとも１つの自由端を備えることのできるスネア機構（２４）とを含み、
スネアカテーテルの少なくとも一部がプロテーゼの外部に沿って位置決めされ、スネアカテーテルの少なくとも一部が肢部のうちの１つの管腔内に位置決めされる、血管内送達システム。
【請求項２】
スネアカテーテル（４０）は、前記スネアカテーテル内に、スネア開口システム（４２）に近位側に隣接しているスネア塞ぎ機構（５８）をさらに含む、請求項１に記載の送達システム。
【請求項３】
スネア開口システム（４４）が少なくとも１つの穴（５２；５４，５６）を含む、請求項１または２に記載の送達システム。
【請求項４】
スネア開口システムが２つの穴（５４，５６）を含む、請求項１または２に記載の送達システム。
【請求項５】
スネア機構（４２）が少なくとも１つのワイヤ（４６）を含む、請求項１から４のいずれかに記載の送達システム。
【請求項６】
スネア機構（４２）は複数のワイヤを含み、前記複数のワイヤのうち少なくとも１つが撮像可能である、請求項５に記載の送達システム。
【請求項７】
第１の肢部（１４）は第２の肢部（１６）よりも長い、請求項１から６のいずれかに記載の送達システム。
【請求項８】
スネアカテーテルのうちプロテーゼ（１０）の外部に位置決めされた部分が、より長い肢部（１２）に隣接しており、スネアカテーテルのうち開口システム（４４）の近位にある一部が、より短い第２の肢部（１６）内に位置決めされる、請求項７に記載の送達システム。
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
管状の材料からなり、第一の束と該第一の束の遠位側に配置されている第二の束とに仕切られており、第一の束と第二の束とは第一の保持部材と第二の保持部材とによって形成されており、該第二の保持部材は前記第一の保持部材の遠位側に配置されており、前記第一及び第二の束は周方向に伸長していて管腔を形成している、胃内部材と、
第一及び第二の結束縫合糸であり、第一の縫合糸は、第一の近位端と第一の遠位端とを有し第一の近位端は前記管腔内を伸長している第一の自由端であり第一の遠位端は前記第一の保持部材に固定されており、第二の結束縫合糸は、第二の近位端と第二の遠位端とを有し且つ第二の近位端は前記管腔内を伸長している第二の自由端であり且つ第二の遠位端は前記第二の保持部材に固定されている、第一及び第二の結束縫合糸と、を備えている胃内器具であり、
前記第一の結束縫合糸は第一のラチェット部材を備えており、前記第二の結束縫合糸は第二のラチェット部材を備えており、該第一のラチェット部材と第二のラチェット部材とは、前記第一の束と第二の束とを締め付けるようになされている、胃内器具。
【請求項２】
前記胃内部材が網目靴下状の構造を有している、請求項１に記載の胃内器具。
【請求項３】
前記第一及び第二の束が給送チューブ上に配置されている、請求項１に記載の胃内器具。
【請求項４】
前記胃内部材が、約５００ｍＬ〜約１５００ｍＬの範囲内の見掛け体積を有している、請求項１に記載の胃内器具。
【請求項５】
前記第一の結束縫合糸が、前記給送チューブ内を伸長している第一の近位端と、前記第一の束を越えて伸長している第二の遠位端とを備えている、請求項３記載の胃内器具。
【請求項６】
前記第二の結束縫合糸が前記給送チューブ内に伸長している第二の近位端と、前記第二の束を越えて伸長している第二の遠位端とを備えている、請求項１に記載の胃内器具。
【請求項７】
前記第一の束と第二の束とが第一の形状と第二の形状との間で形状が変わることができる、請求項１に記載の胃内器具。
【請求項８】
前記第一の形状が給送チューブの周囲を個々の間隔で拘束された状態の第一及び第二の束からなる、請求項７に記載の胃内器具。
【請求項９】
前記第二の形状が圧縮された状態の第一及び第二の束からなる、請求項７に記載の胃内器具。
【請求項１０】
前記第一及び第二の保持部材が網目の周りに織り合わせられている、請求項２に記載の胃内器具。
【請求項１１】
前記第一及び第二の結束縫合糸が網目と織り合わせられている、請求項２に記載の胃内器具。
【請求項１２】
近位端と、遠位端と、これらの近位端と遠位端との間に延びている管腔とを備えている給送チューブと、
管状のシート材料からなり、第一の束と該第一の束の遠位側に配置されている第二の束とに仕切られており、第一及び第二の束は第一の保持部材と第一の保持部材の遠位側に配置されている第二の保持部材とによって形成されており、前記第一及び第二の束は前記給送チューブに沿って摺動可能に設けられ且つ前記給送チューブの外周に周方向に伸長している、胃内部材と、
第一及び第二の結束縫合糸であり、第一の結束縫合糸は、第一の近位端と第一の遠位端とを有しており且つ第一の近位端は前記給送チューブ内を伸長している第一の自由端であり且つ第一の遠位端は前記第一の保持部材に固定されており、第二の結束縫合糸は、第二の近位端と第二の遠位端とを有しており且つ第二の近位端は前記給送チューブの管腔内を伸長している第二の自由端であり且つ第二の遠位端は前記第二の保持部材に固定されている、第一の結束縫合糸及び第二の結束縫合糸と、を備えている胃内器具。
【請求項１３】
前記第一及び第二の束が、前記給送チューブから摺動せしめられて取り外されるときに圧縮された形状である、請求項１２に記載の胃内器具。
【請求項１４】
前記胃内部材が更に第三の保持部材によって第三の束に仕切られており、前記第三の保持部材は前記第二の保持部材の遠位側に配置されており、前記第三の束は前記給送チューブに沿って摺動可能に配置されており、前記第三束は前記給送チューブの周りに周方向に伸長している、請求項１２に記載の胃内器具。
【請求項１５】
第三の結束縫合糸を更に備えており、該第三の結束縫合糸は第三の近位端と第三の遠位端とを有しており、前記第三の近位端は前記給送チューブの管腔内を伸長している第三の自由端であり、前記第三の遠位端は前記第三の保持部材に固定されている、請求項１４に記載の胃内器具。
【請求項１６】
人間以外の哺乳動物の肥満症を診断する方法であり、
（ａ）管状のシート材料からなる胃内部材を準備するステップと、
（ｂ）前記胃内部材を保持部材によって給送チューブに取り付けるステップであり、前記保持部材は、前記胃内部材の周りに周方向に伸長して該胃内部材を第一及び第二の束に仕切っており、前記第二の束は前記第一の束の近位端側に配置されるようにするステップと、
（ｃ）前記保持部材を、近位端と遠位端とを有している結束縫合糸に取り付けるステップであって、前記近位端は前記管腔内を伸長する自由端とし、前記遠位端は前記保持部材に固定するステップと、
（ｄ）前記結束縫合糸の近位端を前記管腔内を介して近位方向に引っ張って、前記第一及び第二の束を前記給送チューブに沿って遠位方向に進入させるステップと、を含む方法。
【請求項１７】
前記第一及び第二の束を遠位方向へ進入させる前記ステップが、前記第一及び第二の束を前記給送チューブの遠位端において圧縮するステップを含んでいる、請求項１６に記載の方法。
【請求項１８】
前記結束縫合糸の近位端を、前記第一の束の近位端が前記給送チューブの遠位端を通り過ぎて胃管腔内へと遠位方向に移動するまで、前記管腔を介して引っ張るステップ（ｅ）を更に含んでいる、請求項１６に記載の方法。
【請求項１９】
前記結束縫合糸の近位端を、前記第二の束の近位端が前記給送チューブの遠位端を通り過ぎて胃管腔内へと遠位方向に移動するまで、前記管腔を介して引っ張るステップ（ｄ）を更に含んでいる、請求項１８に記載の方法。
【請求項２０】
（ｇ）第三の束を胃管腔内に配備し、前記第一、第二及び第三の束が、前記第一、第二及び第三の束が幽門を通過するのを阻止するのに十分な体積を胃管腔内に占めるようにするステップと、
（ｈ）前記第一、第二及び第三の束を、１以上のラチェット部材によって帯状に締め付けるステップとを更に含んでいる、請求項１９に記載の方法。
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
患者の歯の構成の画像を得る方法であって、
第１の歯の構成を表す第１デジタル画像を提供する工程と、
第２の歯の構成を表す第２デジタル画像を提供する工程であって、前記第２デジタル画像は、前記第１デジタル画像と比較した際に低減画像であり、前記第２の歯の構成における少なくとも１つの歯が、前記第１の歯の構成における対応する歯とは異なる位置にある、工程と、
前記第１デジタル画像の少なくとも１つの要素を、前記第２デジタル画像の少なくとも１つの対応する要素と位置合わせすることによって、前記第２の歯の構成を表す第３デジタル画像を得る工程であって、前記第３デジタル画像は、前記第２デジタル画像と比較した際に補足画像である、工程と、を含む、方法。
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
患者の歯の表面を表わす第１データと、前記歯の表面に隣接する前記患者の歯の特定領域に結合された数多くの歯列矯正装具を表わす第２データと、を含む、前記患者の口腔構造のデジタルデータファイルを取得する工程と、
前記特定領域にある前記患者の歯の表面の少なくとも一部分を表わす第３データを取得する工程と、
前記第１データの少なくとも一部分と前記第３データの少なくとも一部分とを組み合わせて、前記装具の少なくとも一部分が除去された前記患者の歯の仮想歯列モデルを提供する工程と、を含む、仮想歯列モデル作製方法。
【請求項２】
前記第１データが特定位置における前記歯を表わし、前記第３データが、前記第１データによって表わされる前記患者の歯の位置とは少なくとも部分的に異なる位置にある前記患者の歯を表わす、請求項１に記載の仮想歯列モデル作製方法。
【請求項３】
前記仮想歯列モデルを使用した前記患者の歯列の物理的モデルを製造する工程と、前記物理的モデルを使用して歯のリテーナーを製作する工程と、をさらに含む請求項１に記載の仮想歯列モデル作製方法。
【請求項４】
コンピューティング装置と、
前記コンピューティング装置上で実行されるソフトウェアと、を含むシステムであって、前記ソフトウェアが、
患者の歯の表面を表わす第１データと、前記歯の表面に隣接する前記患者の歯の特定領域に結合された数多くの歯列矯正装具を表わす第２データと、を含む、前記患者の口腔構造のデジタルデータファイルを取得する工程と、
前記特定領域にある前記患者の歯の表面の少なくとも一部分を表わす第３データを取得する工程と、
前記第１データの少なくとも一部分と前記第３データの少なくとも一部分とを組み合わせて、前記装具の少なくとも一部分が除去された患者の歯の仮想歯列モデルを提供する工程と、を含む、システム。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
灌流液源と、
回収カセットと、
前記回収カセット内に真空を発生させるポンプと、
灌流液を注入し、生体材料を吸引するために手術領域に施用されるハンドピースと、 
前記ハンドピースを前記灌流液源および前記回収カセットのそれぞれに連結する導管と、
ベントバルブと、
停止信号の受信後に、前記導管内圧力を即座に均等化するために、前記ベントバルブに圧力を印加するポンプと、
を備えた、生体材料を吸引するための外科手術システム。
【請求項２】
前記圧力を印加するポンプに停止信号を送るために、前記圧力を印加するポンプに接続された制御装置をさらに備えることを特徴とする請求項１記載の外科手術システム。
【請求項３】
前記制御装置が、前記導管の圧力をモニターし、所定の圧力に達したときに、前記真空を発生させるポンプおよび前記圧力を印加するポンプの両方に停止信号を送る、サージ流制御装置であることを特徴とする請求項２記載の外科手術システム。
【請求項４】
１つ以上の圧力安全バルブをさらに備えることを特徴とする請求項１記載の外科手術システム。
【請求項５】
前記圧力を印加するポンプおよび前記圧力安全バルブのそれぞれに接続された制御装置をさらに備え、
所定の圧力を検知したときに、前記制御装置が機械的または電気的停止信号を、前記真空を発生させるポンプおよび前記圧力を印加するポンプに送り、前記圧力安全バルブを開くことを特徴とする請求項４記載の外科手術システム。
【請求項６】
前記外科手術システムが眼科手術用であり、
前記ハンドピースが患者の眼に施用される水晶体超音波乳化吸引用のハンドピースであることを特徴とする請求項１記載の外科手術システム。
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
治療薬の磁気アシスト送達のためのシステムであって、
キャリヤ表面および、キャリヤ表面を通して広がる磁力線を備える第１の磁界を生成する第１の磁界発生器を備えるキャリヤ・デバイスであって、該第１の磁界は、キャリヤ表面において第１の磁界強度を有する、キャリヤ・デバイスと、
前記第１の磁界によって前記キャリヤ表面に引きつけられる複数の分離した磁気粒子であって、該分離した磁気粒子は、治療薬と結合している、磁気粒子と、
リリース・デバイスのリリース表面を通して広がる磁力線を有する第２の磁界を生成する第２の磁界発生器を備えるリリース・デバイスであって、該第２の磁界発生器は、前記キャリヤ表面において、前記リリース表面が、キャリヤ表面から２センチメートル以下の距離に位置する場合に、前記キャリヤ表面における前記第１の磁界強度より大きい第２の磁界強度で第２の磁界を生成することができる、リリース・デバイスと、
を備えるシステム。
【請求項２】
治療薬の磁気アシスト送達のためのシステムであって、
キャリヤ表面および、キャリヤ表面を通して広がる磁力線を備える第１の磁界を生成する第１の磁界発生器を備えるキャリヤ・デバイスであって、該第１の磁界は、キャリヤ表面において第１の磁界強度を有する、キャリヤ・デバイスと、
前記第１の磁界によって前記キャリヤ表面に引きつけられる複数の分離した磁気粒子であって、該分離した磁気粒子は、治療薬と結合している、磁気粒子と、
リリース・デバイスのリリース表面を通して広る磁力線を有する第２の磁界を生成する第２の磁界発生器を備えるリリース・デバイスであって、該第２の磁界発生器は、前記キャリヤ表面において、リリース表面が、キャリヤ表面から１５センチメートル以下の距離に位置する場合に、前記キャリヤ表面における前記第１の磁界強度より大きい第２の磁界強度で第２の磁界を生成することができる、リリース・デバイスと、
を備えるシステム。
【請求項３】
前記第１の磁界発生器は、静磁場を生成する磁性材料を備える、請求項１ないし２のいずれか１項に記載のシステム。
【請求項４】
前記第１の磁界発生器は、永久磁性物質を備え、
前記第２の磁界発生器は、電磁石から成り、
さらに、前記第２の磁界発生器は、コントローラを備え、
該コントローラは、前記第２の磁界強度を変化させるように構成される、請求項１ないし２のいずれか１項に記載のシステム。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
少なくとも４つの濾材プリーツ群を備える連結された濾材プリーツ群アセンブリであって、各濾材プリーツ群は長手方向の軸線を有し、かつ折り目を有する複数の長手方向のプリーツを有し、各プリーツが谷部及び頂部を有し、各濾材プリーツ群が、厚さと、前記プリーツの前記折り目に直交して方向付けられた２つの終端部とを有し、各濾材プリーツ群の前記長手方向の軸線が、各隣接する濾材プリーツ群の長手方向の軸線に対して実質的に非平行な方向に配置され、かつ各濾材プリーツ群の少なくとも１つの終端部が、隣接する濾材プリーツ群の前記終端部と継ぎ目で組み立てられ、少なくとも１つの：
（ａ）前記継ぎ目は、１つの濾材プリーツ群のプリーツが、隣接する濾材プリーツ群のプリーツと交互配置され、１つの濾材プリーツ群内の各プリーツの頂部が、隣接する濾材プリーツ群の対応する頂部に対して入れ子となり、かつ１つの濾材プリーツ群内の各プリーツの谷部が、隣接する濾材プリーツ群の対応する谷部に対して入れ子となり、１つのプリーツ群内の各プリーツの頂部が、隣接する濾材プリーツ群内の各プリーツの頂部と重なり合う、構造を有し、又は
（ｂ）前記継ぎ目は、隣接する濾材プリーツ群の終端部の少なくとも一部分が、相補的な角度にて留め継ぎされ、接合関係に組み立てられている、構造を有する、連結された濾材プリーツ群アセンブリ。
【請求項２】
少なくとも２つの継ぎ目を備え、
少なくとも１つの継ぎ目は、１つの濾材プリーツ群のプリーツが、隣接する濾材プリーツ群のプリーツと交互配置され、１つの濾材プリーツ群における各プリーツの頂部が、隣接する濾材プリーツ群の対応する頂部に対して入れ子となり、かつ１つの濾材プリーツ群における各プリーツの谷部が、隣接する濾材プリーツ群の対応する谷部に対して入れ子となり、かつ１つの濾材プリーツ群内の各プリーツの頂部が、隣接する濾材プリーツ群内の各プリーツの頂部と重なり合う、構造を有し、かつ、
少なくとも１つの継ぎ目は、隣接する濾材プリーツ群群の終端部が相補的な角度にて留め継ぎされ、接合関係に組み立てられた、構造を有する、請求項１に記載の連結された濾材プリーツ群アセンブリ。
【請求項３】
１つの濾材プリーツ群のプリーツが、隣接する濾材プリーツ群のプリーツと、各濾材プリーツ群の厚さの１０％〜９９％の範囲内で重なり合う、請求項１又は２に記載の連結された濾材プリーツ群アセンブリ。
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
吸着性媒体と、プラズマ処理した高分子結合剤粒子と、を含む濾材。
【請求項２】
前記プラズマ処理した高分子結合剤粒子の表面が、オキシド、シリコン、又はその両方を含み、前記高分子結合剤粒子が、前記媒体の５重量％〜３０重量％の範囲の量で存在し、前記吸着性媒体が、平均粒径が４５マイクロメートル以上の粒子を含む活性炭を含み、そして前記高分子結合剤粒子が、その表面にグラフトされた抗菌剤を更に含む、請求項１に記載の濾材。
【請求項３】
前記高分子結合剤粒子が、不規則な波型の表面を有する超高分子量ポリエチレン粒子を含む、請求項１に記載の濾材。
【請求項４】
吸着性媒体及びプラズマ処理した高分子結合剤から形成された濾過マトリクスと、前記濾過マトリクスを取り囲むハウジングと、流体入口と、流体出口と、を含む、濾過システム。
【請求項５】
流体を、請求項１に記載の濾材と接触させる工程を含む、濾過方法。
【請求項６】
濾過システムの製造方法であって、
高分子結合剤粒子をプラズマで処理し、プラズマ処理した高分子結合剤を形成する工程と、
吸着性媒体と前記処理済み粒子とを接触させ、媒体混合物を形成する工程と、
前記媒体混合物を加熱して、濾過マトリクスを形成する工程と、
濾過マトリクスのブロックをハウジング内に挿入して、濾過システムを形成する工程と、を含む、方法。
【請求項７】
前記プラズマ処理した高分子結合剤に抗菌剤をグラフトする工程を更に含む、請求項６に記載の方法。
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
第１の非透過性フィルムと、
第２の非透過性フィルムと、
前記第１及び第２の非透過性フィルムによって平面的に封入されるとともに、平面的に配置された複数のプリーツを備えた濾材を有するフィルター要素と、
を備える、フィルター装置。
【請求項２】
前記濾材は、第１の表面、第２の表面、第１の端部及び第２の端部を備え、
前記第１の端部の前記第１の表面は前記第１の非透過性フィルムに取り付けられ、前記第２の端部の前記第２の表面は前記第２の非透過性フィルムに取り付けられる、請求項１に記載のフィルター装置。
【請求項３】
前記第１及び第２の非透過性フィルムの少なくとも１つが流体連通ポートを備える、請求項１又は２に記載のフィルター装置。
【請求項４】
前記第１の表面又は前記第２の表面の少なくとも一部に接触する排水基材を更に備える、請求項２又は３に記載のフィルター装置。
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
流体を反応させるための反応装置であって、
成形体の第１端から第２端に向かう方向に平行に延びるセル群を有する多セル押出し成形体を備え、該成形体は、該成形体の両端において開口する第１の複数のセルと、前記成形体の一端または両端において閉塞された第２の複数のセルとを有し、該第２の複数のセルは隣接するセル群であり、かつ前記成形体を少なくとも部分的に通って延びる流体通路の少なくとも一部を画成するために協働するものであり、前記流体通路は、前記第２の複数のセルに沿って往復する蛇行通路を有し、該流体通路は、前記成形体の両端またはそれらの近傍において、前記第２の複数のセルの内部でセルからセルを横方向に接続していることを特徴とする反応装置。
【請求項２】
前記通路は、前記成形体のセル群と直交する一平面内のセル１本分の幅を有することを特徴とする請求項１記載の反応装置。
【請求項３】
前記通路は、前記第２の複数のセルのセル群に沿って少なくとも２回往復する蛇行通路を有することを特徴とする請求項１または２記載の反応装置。
【請求項４】
前記通路は、入力ポートおよび出力ポートを通じて前記成形体の外部から接続可能であり、前記入力ポートは前記成形体の前記第１端に配置されかつ該成形体の第１端において栓によって閉塞されたセル群によって取り囲まれていることを特徴とする請求項１から３の何れか１項記載の反応装置。
【請求項５】
前記入力ポートに結合された流体連結器をさらに備え、該流体連結器は圧着シールを備え、該圧着シールは、前記入力ポートを取り囲む前記栓に対し圧着され、または前記セル群内の栓によって支持された面に対し圧着されていることを特徴とする請求項４記載の反応装置。
【請求項６】
前記入力ポートに結合された流体連結器をさらに備え、該流体連結器は、前記入力ポートを取り囲む前記栓群に接着され、または前記セル群内の栓群によって支持された面に接着されていることを特徴とする請求項４記載の反応装置。
【請求項７】
前記流体連結器は、焼結されたフリットによって前記栓群に接着され、または前記栓群によって支持された面に接着されていることを特徴とする請求項６記載の反応装置。
【請求項８】
前記通路は、入力ポートおよび出力ポートを通じて前記成形体の外部から接続可能であり、前記入力ポートは前記成形体の一側における壁に配置されていることを特徴とする請求項１から３の何れか１項記載の反応装置。
【請求項９】
前記入力ポートに結合された流体連結器をさらに備え、該流体連結器は圧着シールを備え、該圧着シールは、前記成形体の一側における壁に対し圧着されていることを特徴とする請求項８記載の反応装置。
【請求項１０】
前記入力ポートに結合された流体連結器をさらに備え、該流体連結器は、前記成形体の一側における壁に接着されていることを特徴とする請求項８記載の反応装置。
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
ａ）５〜３０重量％の固体であって、
ｉ）触媒材料、及び
ｉｉ）ポリマー電解質を含む固体、
ｂ）水性溶剤であって、
０〜５０％のアルコール、０〜２０％の多価アルコール、及び３０〜１００％の水を含む水性溶剤、並びに
ｃ）５〜２５重量％の凝集溶剤であって、
部分フッ素化アルカン、部分フッ素化第３級アミン、完全フッ素化アルカン、及び完全フッ素化第３級アミンからなる群から選択される凝集溶剤、
を含む触媒インク。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
下面及び上面を有するポート本体であって、該下面及び該上面は、２つの対向するテーパー状の縁に沿って交わり、該ポート本体の該テーパー状の縁に沿って９０度未満の内角を形成する、ポート本体と、
該ポート本体の該上面を貫通して外部開口部から内部開口部に延在する通路であって、該外部開口部及び該内部開口部の両方は、該上面に配置される、通路と、
該ポート本体の該下面上に配置される感圧接着剤と、
該ポート本体の該上面に取り付けられる裏材であって、該裏材は、該ポート本体の該２つの対向するテーパー状の縁の間の該上面を越えて延在し、該裏材及び該ポート本体の該下面が本体表面に取り付けられるとき、該内部開口部が該裏材、該ポート本体、及び該本体表面によって画定される内部容積部内に開口するように、該外部開口部が該裏材の該縁の近位に配置される、裏材と、
を備える、医療用手当て用品。
【請求項２】
下面及び上面を有するポート本体であって、該下面及び該上面は、２つの対向するテーパー状の縁に沿って交わり、該テーパー状の縁に沿って鋭内角を形成する、ポート本体と、
該ポート本体の該上面を貫通して外部開口部から内部開口部に延在する通路であって、該外部開口部及び該内部開口部の両方は、該上面に配置される、通路と、
該ポート本体の該下面上に配置される感圧接着剤と、
該ポート本体の該上面に取り付けられる裏材であって、該ポート本体の該２つの対向するテーパー状の縁の間の該上面を越えて延在する縁を備える、裏材と、
該裏材の下面上に配置される感圧接着剤であって、該裏材の該下面は、該ポート本体の該上面に面し、該裏材は、該ポート本体の該上面に接着される、感圧接着剤と、
該ポート本体の該下面上の該感圧接着剤、及び該裏材の該下面上の該感圧接着剤を被覆する剥離ライナーと、
を備える医療用手当て用品であって、
該ポート本体内の該外部開口部は、該ポート本体の該上面を越えて延在する該裏材の該縁の近位に配置され、該内部開口部は、該裏材、該ポート本体、及び該剥離ライナーによって画定される内部容積部内に開口する、医療用手当て用品。
【請求項３】
下面及び上面を備えるポート本体であって、該下面及び該上面は、２つの対向するテーパー状の縁に沿って交わり、該ポート本体の該テーパー状の縁に沿って９０度未満の内角を形成し、該ポート本体は、該ポート本体の該上面を貫通して外部開口部から内部開口部へ延在する通路を更に備え、該外部開口部及び該内部開口部の両方は、該上面内に配置され、更に、感圧接着剤が該ポート本体の該下面上に配置される、ポート本体と、
裏材、該裏材の下面上に配置される感圧接着剤、及び該裏材の該下面上の該感圧接着剤を被覆する剥離ライナーを有する、接着複合物と、
を備える、医療用手当て用品キット。